Podtech/llm-jp-corpus-v4-ja_patent huggingface dataset:
(57)【要約】【課題】  噴霧する液体の量を一定にすることができる電動式噴霧器を提供する。【解決手段】  モータ１と前記モータ１の出力軸２に取付けられたチューブポンプ３と前記チューブポンプ３の液体吐出チューブ４に取付けられた噴霧ノズル５と前記モータ１を駆動する駆動６回路と設定時間前記モータを駆動する噴霧タイマー回路７と前記噴霧タイマー回路７のタイマー動作を開始させる起動スイッチ８から構成される。【選択図】図１
2011147922.tif 000002
【特許請求の範囲】
【請求項１】
モータと前記モータの出力軸に取付けられたチューブポンプと前記チューブポンプの液体吐出チューブ側に取付けられた噴霧ノズルと前記モータを駆動する駆動回路と設定時間前記モータを駆動するよう前記駆動回路に指示する信号送る噴霧タイマー回路と前記噴霧タイマー回路のタイマー動作を開始させる起動スイッチから構成されたことを特徴とする電動式噴霧器。
【請求項２】
前記モータがブラシレスモータで有ることを特徴とした請求項１記載の電動式噴霧器。
【請求項３】
前記噴霧タイマー回路で設定された時間前記噴霧ノズルより噴霧する回転方向に前記モータを駆動した後、前記モータの回転方向を設定時間逆転駆動させる逆転タイマー回路を有することを特徴とした請求項１，２記載の電動式噴霧器。
【発明の詳細な説明】
【技術分野】
【０００１】  本発明は水を含む各種液体を霧状に噴出させる電動式噴霧器に関する。
【背景技術】
【０００２】  従来よりモータでポンプを加圧して、噴霧ノズルから液体を霧状に噴出させる電動式噴霧器がある（例えば、特許文献１参照）。以下、従来の電動式噴霧器について説明する。この電動噴霧器は、手動操作によるトリガーの位置にて、モータの駆動停止及び逆転操作を行う。
【先行技術文献】
【特許文献】
【０００３】
【特許文献１】  特開２００１−３８２５３公報
【発明の概要】
【発明が解決しようとする課題】
【０００４】  しかしながら、従来の電動式噴霧器では手動操作によるトリガー位置にてモータの駆動停止を行っている為、操作する速度により噴霧する液体の量が変動するという問題を有していた。
【課題を解決するための手段】
【０００５】  本発明は、モータと前記モータの出力軸に取付けられたチューブポンプと前記チューブポンプの液体吐出チューブに取付けられた噴霧ノズルと前記モータを駆動する駆動回路と設定時間前記モータを駆動する指示信号を前記駆動回路に送る噴霧タイマー回路と前記噴霧タイマー回路のタイマー動作を開始させる起動スイッチから構成することにより上記課題を解決する。【０００６】  また、前記モータをブラシレスモータとすることにより、より長寿命の電動式噴霧器とした。【０００７】  また、前記噴霧タイマー回路で設定された時間前記噴霧ノズルより噴霧する回転方向に前記モータを駆動した後、前記モータの回転方向を設定時間逆転駆動させる指示信号を前期駆動回路に送る逆転タイマー回路を有することにより、噴霧ノズルからの液垂れを防止した電動式噴霧器とした。
【発明の効果】
【０００８】  上記の課題解決手段による作用は次の通りである。すなわち、モータと前記モータの出力軸に取付けられたチューブポンプと前記チューブポンプの液体吐出チューブに取付けられた噴霧ノズルと前記モータを駆動する駆動回路と設定時間前記モータを駆動する噴霧タイマー回路と前記噴霧タイマー回路のタイマー動作を開始させる起動スイッチから構成することにより噴霧する液体の量を一定にすることができる。【０００９】  しかも、モータにブラシレスモータを使用する事により、モータのブラシ磨耗によるモータ寿命の低減が無く、長寿命な電動式噴霧器を提供することが出来る。【００１０】  また、前記噴霧タイマー回路で設定された時間前記噴霧ノズルより噴霧する回転方向に前記モータを駆動した後、前記モータの回転方向を設定時間逆転駆動させる逆転タイマー回路を有し、前記モータを逆回転させる事により、前記噴射ノズルからの液垂れを防止することができる。
【図面の簡単な説明】
【００１１】
【図１】本発明の実施形態１における電動式噴霧器の概要図である。
【図２】本発明の実施形態２における電動式噴霧器の概要図である。
【発明を実施するための形態】
【００１２】  本発明の実施の形態を図１〜２に基づいて説明する。
【実施例】
【００１３】  図１は、本発明の実施例１を示す。図１において、モータ１の出力軸２にチューブポンプ３が取付けられ、モータ１を駆動する事によりチューブポンプ３を駆動する。チューブポンプ３の液体吐出チューブ４には噴霧ノズル５が取付けられている。モータ１が正転時に噴霧液１２を収容した液体ケース１１より液体吸入チューブ１０を通じ液体１２を吸入し、噴霧ノズル５より液滴１３を噴霧する。また、モータ１には駆動回路６が取付けられ、駆動回路６によりモータ１を回転駆動させる。駆動回路６にはタイマー用ＩＣ図示せず）等から構成された噴霧タイマー回路７からの信号が入力され、駆動回路６は噴霧タイマー回路７からの信号に基づきモータ１を駆動させる。噴霧タイマー回路７には起動スイッチ８の信号が入力され、起動スイッチ８の信号に基づき噴霧タイマー回路７がタイマー動作を開始し、噴霧タイマー回路７で設定された時間、モータ１を駆動するよう駆動回路６に信号を送り、所定時間噴霧させる。電源９はモータ１、駆動回路６、噴霧タイマー回路７、起動スイッチ８に電圧を供給する。【００１４】  図２は実施例１に逆転タイマー回路１４を設け、液垂れを防止した実施例である。実施例１の如く噴霧タイマー回路７で設定された時間、駆動回路６によりモータ１を駆動し、所定時間噴霧させた後、噴霧タイマー回路７の信号により、タイマーＩＣ（図示せず）等から構成された逆転タイマー回路１４のタイマー動作を開始させ、逆転タイマー回路１４で設定された時間、モータ１を逆転駆動するよう駆動回路６に信号を送り、所定時間液体吐出チューブ４を通して、噴霧ノズル５から液体１２を吸引するることにより、噴霧ノズル５からの液垂れを防止する。【００１５】  本実施例では、噴霧タイマー回路７、逆転タイマー回路１４をタイマー用ＩＣ等としたが、マイコンを用いて駆動回路６によるモータ１の駆動時間を設定しても同様の効果が得られる。また、起動スイッチ８をリモコン等の赤外線センサーによるスイッチとしても同様の効果が得られる。
【産業上の利用可能性】
【００１６】  この発明は各種の電動式噴霧器に適用することができる。
【符号の説明】
【００１７】１    モータ
２    出力軸
３    チューブポンプ
４    液体吐出チューブ
５    噴霧ノズル
６    駆動回路
７    噴霧タイマー回路
８    起動スイッチ
９    電源
１０  液体吸入チューブ
１１  液体ケース
１２  噴霧液
１３  液滴
１４  逆転タイマー回路
【図１】
2011147922.tif 000003
【図２】
2011147922.tif 000004
(57)【要約】【課題】    バターを常温に戻さないと、食品に塗布は不可能だった。又、硬いチーズのカットも困難だった。  本発明は冷えたバター・チーズを容易にカット塗布する為に、ほっとかっとを提供する。【解決手段】  この発明は、ナイフに通電し、熱を加える事により、カットと同時に熱により、バター・チーズが容易にカット又は塗布が出来る。【選択図】図１
2011147736.tif 000002
【特許請求の範囲】
【請求項１】
ナイフ本体に熱を通す事により冷蔵庫から出したバターが、即時に食品に容易に塗布出来、又、硬いチーズ等のカットが容易に出来る  乳製品用ナイフ。
【発明の詳細な説明】
【技術分野】
【０００１】  本発明は冷蔵庫から出した直後のバターやチーズを切る事のナイフに関するものである。
【背景技術】
【０００２】  従来、冷蔵庫から出した直後のバターやチーズ等は、冷蔵で硬くなっている為に、常温に戻してから食品（パン）等に塗る等していた。
【先行技術文献】
【０００３】
【特許文献】
【特許文献】特開平１０−２０１５９７号公報  登録実案  ３１２３６４８号公報
【発明の概要】
【発明が解決しようとする課題】
【０００４】これは次のような問題点があった。
（イ）冷蔵庫から出した直後のバターは、常温にして、柔らかくなるまで待たないと、        パンなどに塗る作業が出来なかった。
（ロ）冷蔵庫から出した直後のチーズは硬くナイフを入れるのが困難だった。
本発明は、以上の問題点を解決するためになされたものである。
【課題を解決するための手段】
【０００５】  ナイフ本体（５）は柄（６）の内部に折りたたみ式で収納出来る。
ナイフ本体（５）の頭部に温度センサー（２）を、つける事によって切る適温を知らせる事が出来る。
バターやチーズ等、カットし易く出来るようノコギリ状（３）にする。
電源スイッチ（１）を入れ、ナイフ本体（５）が出て来ると同時に熱が伝わる。
本発明は以上の構成によりなる  ほっとかっとである。
【発明の効果】
【０００６】  電池（８）式なので、使用及び収納が容易である。
ナイフ本体（５）を柄（６）に収めた時点で電源（１）が切れるので安全である。又、温度センサー（２）を付ける事により、老人、子供でも容易に使用出来る。
【図面の簡単な説明】
【０００７】
【図１】本発明の斜視図である。
【図２】本発明の使用状態を示した斜視図である。
【発明を実施する為の形態】
【０００８】  以下、本発明を実施するための最良の形態について説明する。
（イ）電源スイッチ（１）を入れると柄（６）の上面に設けたナイフ本体（５）が収納部（９）から出る。
温度センサー（２）の色で知らせる。
（ロ）ナイフ本体（５）の先端下面をカットの刃（３）とし、ノコギリ状にする。
刃（３）の上部ヘラ（４）は塗る作業に使用する。
（ハ）柄（６）の後頭部に電池（８）を収納する。電池カバー（７）をはめる。
柄本体（６）にナイフ本体（５）を収納する空洞部（９）を設ける。
本発明は以上のような構造である。
本発明を使用するときは、電源スイッチ（１）を入れるとナイフ本体（５）が出る折りたたみ式である。
温度センサー（２）の表示を確認して、使用開始である。
カット刃（３）の部分をノコギリ状にする事によりカットが容易である。カットの刃（３）の上部をヘラ状（４）にする事により、塗る作業に使用する事が出来る。その際ヘラ部分（４）も通電しているので、溶かしながら塗る事が出来る。使用後はナイフ本体（５）を、柄（６）の空洞部（９）に収めると同時に、電源スイッチ（１）が切れる。
【符号の説明】
【０００９】      １  電源スイッチ
２  温度センサー
３  刃
４  ヘラ
５  ナイフ本体
６  柄
７  電池カバー
８  電池
９  ナイフ本体収納空洞部
【図１】
2011147736.tif 000003
【図２】
2011147736.tif 000004
【図３】
2011147736.tif 000005
【手続補正書】
【提出日】平成22年3月12日(2010.3.12)
【手続補正１】
【補正対象書類名】明細書
【補正対象項目名】０００７
【補正方法】変更
【補正の内容】
【０００７】
【図１】  本発明の斜視図である。
【図２】  本発明の使用状態を示した斜視図である。
【図３】  本発明の透視図である。
(57)【要約】      （修正有）【課題】医療用チューブの折れ、潰れの防止を目的としチューブを提供する。【解決手段】医療用チューブ本体を形成する素材の内部、外側、内側に螺旋状の凸凹や蛇腹を設け、折れ、潰れを防止する機能を持たせる。また既存の医療用チューブ本体に、螺旋状の円環を装着し、折れ潰れを防止する機能を持たせる。【選択図】図１
2011147735.tif 000002
【特許請求の範囲】
【請求項１】
医療用チューブの折れ潰れ（つぶれ）を、防ぐ為の機能を備えた装具。
【請求項２】
医療用チューブの折れ潰れ（つぶれ）を防ぐ、チューブ本体に折れ潰れを防ぐ機能を備えた、チューブ。
【発明の詳細な説明】
【０００１】  本発明は、折れ、潰れを防止する為、チューブ自体にその能力を付加した、医療用チューブ、及び折れ潰れを防止する為に現在通常に使用されている医療用チューブに装具を装着し、折れ、潰れを防止する装具に関するものである。
【発明が解決しようとする課題】
【０００２】  現在医療用チューブ、例えば点滴用のチューブの折れ、潰れが原因で薬液が滞り患者の病状に重得な事態が生じたり、また、薬液が終了した場合等を含み、様々な不都合を防止する為に医療機関では、点滴用のポンプを使用し、薬液が流れなくなったり、滞ったりした場合には、警報音で看護士や医師に知らせ、起きた不都合を解除している。又、携帯用のポンプにより、自宅や外出中にも点滴を継続している患者、又は、付き添い者に、輸液、薬液等の折れ、潰れによる滞りや終了等を知らせ、起きた不都合を解除する様に工夫されていて非常に役立っている。
病院や診療所等多くの患者に点滴を施し、また、他の仕事を同時進行で行っている看護士や医師にとって、点滴用チューブの折れ、潰れに依る点滴用ポンプからの警報音によりその対応に追われる事は、多忙な業務のなかで精神的負担が大きい。また、排尿用のチューブ等も同様に折れ潰れは、患者の容態と精神的負担が大きい。
この様な医療用チューブの不都合な点を解決しようとする問題点は、点滴をする上で装着した患者の動作によりチューブが折れたり、潰れたりする事で薬液が滞り患者の病状に重得な事態が生じないようにすることである。
【０００３】    医療用の資材を廃棄する場合に、現在の様な社会環境下では、廃棄に関してとても気にしなくてはならない。
各自治体で、生活ゴミ、産業廃棄物に関する基準は、それぞれ違いがあるが、分別しやすく、リサイクルし易い状態である事が望ましく、製品として市場に出すべきでない事が、大きな条件に入ってくる。
【課題を解決するための手段】
【０００４】（１）、チューブ本体に折れ、潰れが起き難くなる様に蛇腹、あるいは、螺旋の凹凸を設ける。あるいは、チューブの素材内、外側、内側に折れない、潰れない為の機能を持たせた医療用チューブ。
また、現在通常使用されている点滴用チューブに、折れ、潰れを    起こしにくくする様な機能を持った装具を装着して折れ、潰れを防止しようとする為の発明である。
（２）、チューブの折れ潰れを防止する為の装具、付加機能の素材をリサイクル可能な素材にする事で、リサイクルに関連する課題を解決する。
【発明の効果】
【０００５】（１）、点滴用チューブの折れ、潰れが原因で薬液が滞り患者の病状に重得な事態が生じたりする不都合を、排除する事により、看護士や医師の仕事が軽減でき他の業務に集中する事が可能。
（２）、自宅や外出中時、チューブの折れや潰れで不都合が起き難くなれば、ＱＯＬ（クオリティー  オブ  ライフ）が向上し、患者や付添者の精神的負担が軽減する。
（３）、リサイクルし易い素材、状態の製品にする事で、資源有限時代、温暖化効果ガスの問題が、世界的に重大問題になっている現状において、廃棄し易くする事で、看護士等の仕事量の軽減、地球環境に優しい製品になる。
【図面の簡単な説明】
【図１】▲１▼蛇腹チューブ斜視図  ▲２▼蛇腹チューブ屈曲時斜視図
【図２】▲１▼素材内部でのバネ補強チューブ側面図  ▲２▼素材外部でのバネ補強チューブ側面図  チューブの素材内、外側に折れない、潰れない為のバネ状の素材、それに準ずる素材を加工して同じように極力折れない潰れない用に、工夫した点滴用チューブの側面図。
【図３】▲３▼チューブ内側でのバネ補強チューブ側面図  チューブの素材内側に折れない、潰れない為のバネ状の素材、それに準ずる素材を添付して同じように極力折れない潰れない用に、工夫した点滴用チューブの側面図。
【写真１】
▲１▼螺旋蛇腹写真側面
▲２▼螺旋蛇腹写真横断面
【写真２】
▲１▼点滴用チューブにバネ装着時写真
▲２▼点滴用チューブにバネ装着時写真（バネの間隔あり）
現在通常使用されている点滴用チューブに、チューブの折れ、潰れを極力起こしにくくする様にバネ、及びそれに準ずる装具を装着して折れ、潰れを防止しようとする為の装具の写真。
【写真３】
▲３▼バネ装着時屈曲時でもチューブが折れていない写真
▲４▼バネ装着時断面写真
現在通常使用されている点滴用チューブに、チューブの折れ、潰れを極力起こしにくくする様にバネ、及びそれに準ずる装具を装着して折れ、潰れを防止しようとする為の装具の写真。
【図１】
2011147735.tif 000003
【図２】
2011147735.tif 000004
【図３】
2011147735.tif 000005
(57)【要約】【課題】  おしめを交換するとき、大便が尻に付着しており清掃に困難を極めている。清掃を簡素化するため、大便が尻に付着するのを防止するおしめを提供する。【解決手段】  おしめ（１）の肛門側に、大便排出用の穴付きシート（２）を設け、シート（２）の端部に、おしめ（１）に結合した引張り材（３）を設け、大便を、おしめとシートの間に排出する大便排出用の穴付きシート付きおしめを特徴とする。【選択図】図１
2011147739.tif 000002
【特許請求の範囲】
【請求項１】
（イ）おしめ（１）の肛門側に、大便排出用の穴付きシート（２）を設ける。
（ロ）引張り材（３）を設け、端部をおしめ（１）と穴付きシート（２）に結合する。
（ハ）穴付きシート（２）を、引張り材（３）で引き上げて肛門周囲に密着させる。
（ニ）大便を、穴付きシート（２）と、おしめ（１）の間に排出させる。
以上の構成よりなる  大便尻付着防止シート付きおしめ。
【発明の詳細な説明】
【技術分野】
【０００１】  本発明は、おしめの肛門側に大便排出用の穴付きシートを設け、大便を、おしめとシートの間に排出する、大便尻付着防止シート付きおしめに関するものである。
【背景技術】
【０００２】  従来は、大便が尻とおしめの間に排出され大便が尻に付着していた。
【発明の概要】
【発明が解決しようとする課題】
【０００３】  従来のおしめは、おしめから大便が外部に洩れなくすることに主眼がおかれている為、大便が尻に付着しており清掃に困難を極めていた。
本発明は、以上のような欠点を無くする為のものである。
【課題を解決するための手段】
【０００４】  おしめ（１）の肛門側に大便排出用の穴付きシート（２）を設け、シート（２）の端部に、おしめ（１）に結合した引張り材（３）を設ける。
本発明は、以上の構成よりなる大便尻付着防止シート付きおしめである。
【発明の効果】
【０００５】  大便が、おしめと穴付きシートの間に排出されるので、大便の付着が、肛門の周囲の僅かな範囲に限定され清掃範囲が極端に減少される。
【図面の簡単な説明】
【０００６】
【図１】本発明の正面断面図である。
【図２】おしめをした正面図である。
【図３】本発明の側面断面図である。
【図４】本発明のおしめ内側平面図である。
【発明を実施するための形態】
【０００７】  以下、本発明を実施するための形態について説明する。
おしめ（１）の肛門側に、大便排出用の穴付きシート（２）を設け、穴付きシート（２）の端部を、おしめ（１）に結合した引張り材（３）で引き上げ肛門周囲に密着させて、おしめ（１）と穴付きシート（２）の間に空間を作り、大便を穴付きシート（２）と、おしめ（１）の間に排出させる。
本発明は、以上のような構造である。
【産業上の利用可能性】
【０００８】  介護業務の最も嫌がるおしめ交換作業が簡素化（減少）され、就業率の向上が図れると同時に介護産業の発展に貢献できる。
【符号の説明】
【０００９】  １    おしめ
２    穴付きシート
３    引張り材
４    大便排出用の穴
５    尻
６    肛門
７    大便
【図１】
2011147739.tif 000003
【図２】
2011147739.tif 000004
【図３】
2011147739.tif 000005
【図４】
2011147739.tif 000006
(57)【要約】【課題】煮物などで、でるアクはお玉杓子などでとつていた、汁も入るのでイライラしてとっていた。  本発明は、アクを簡単に取れるアク取り角形お玉杓子を、提供する。【解決手段】  角形お玉杓子の底の穴と落し蓋の穴を設けて、スライドさせ穴を合わせながら煮物のアクの上にのせて、入ったアクを落し蓋、をスライドさせ穴を閉じてすてる。【選択図】図１
2011147733.tif 000002
【特許請求の範囲】
【請求項１】
持ち手のー端に角形お玉杓子を取り付け、角型お玉杓子の底に多数の穴を空け、内側の底近くの側面に複数のストッパー凸部を設け、角形お玉杓子に見合った形状に形成された落し蓋において、角形お玉杓子の底の穴の半径程の小穴を多数設け、小穴の位置は、落し蓋を少しずらせば角形お玉杓子の底の穴と重ならいように設け、縁部には、角形お玉杓子のストッパー凸部に対応した位置と数の凹部を設け、中心部に落し蓋柄を設けたことを特徴とするアク取り角形お玉杓子。
【発明の詳細な説明】
【技術分野】
【０００１】  本発明は、アク取り角形お杓子に関するものである。
【背景技術】
【０００２】  従来、煮物などのアクを取るには、お玉杓子などですくいとつていた。
【発明の開示】
【発明が解決しょうしょうとする課題】
【０００３】  普通のお玉杓子で煮物などのアクを取るには、アクばかりか汁まで入り、とるには余計な時間がかかる上に、アクを取り残すため味も悪くなる。
本発明は、以上の問題点を解決するためになされたものである。
【課題を解決するための手段】
【０００４】  持ち手のー端に角形お玉杓子を取り付け、角形お玉杓子の底に多数の穴を空け、内側の底近くの側面に複数のストッパー凸部を設ける。角形お玉杓子に見合う形状に形成された落し蓋において、角形お玉杓子の底の穴の半径程の小穴を多数設け、小穴の位置は、落と蓋を少しずらせば角形お玉杓子の底の穴と重ならないように設け、縁部には、角形お玉杓子のストッパー凸部に対応した位置と数の凹部を設け、中心部に落し蓋柄を設ける。
以上を特徴とするアク取り角形お玉杓子である。
【発明の効果】
【０００５】  角形お玉杓子の中に取り込まれた汁とアクは、汁だけ下に抜け落ち、アクだけが残留付着して、手間をかけずにサッとアクを除去でき、取り残しも殆んどないので、味も落ちない。
【発明を実施するための最良の形態】
【０００６】    以下、本発明実施の形態を説明する。
（イ）  持ち手（２）のー端に角形お玉杓子（１）を取り付け、角形お玉杓子（１）の底（４）に多数の穴（３）を設け、底（４）近くの側面に複数のストッパー凸部（５）を設ける。
（ロ）  角形お玉杓子（１）に見合う形状に形成された落し蓋（６）において、角形お玉杓子（１）の底（４）の穴（３）の半径程の小穴（８）を多数設け小穴（８）の位置は、落し蓋（６）を少しずらした時角形お玉杓子（１）の底（４）の穴（３）と重ならないように設け、縁部には、角形お玉杓子（１）の側面のストッパー凸部（５）に対応した位置と数の凹部（９）を設け、中央に落し蓋柄（７）を設ける。
本発明は以上のような構造である。
本発明を使用するときは、煮物の鍋に浮いている、アクを角形お玉杓子（１）を使い底（４）の穴（３）と落し蓋（６）の小穴（８）を合わせて中に入ったアクを落し蓋（６）でスライドさせて小穴（８）を閉じて捨てる。底（４）と落し蓋（６）がストッパー凸部（５）に留めて凹部（９）で外すのに使う落し蓋柄（７）が付いている、底（４）と落し蓋（６）を落し蓋柄（７）により取り外し、底（４）と落し蓋（６）の両面を洗うことができる。落し蓋（６）が動かなくするために、スライドさせてストッパー凸部（５）で留める。はずすときは凹部（９）にスライドさせる。角お玉杓子（１）の持ち手と落し蓋（６）の落し蓋柄（７）でスライドさせる。底（４）の穴（３）と落し蓋（６）の小穴（８）をあわせながら穴の大きさをスライドさせて穴の大きさを替えられる。
【図面の簡単な説明】
【０００７】
【図１】本発明の使用状態を示す斜視図
【図２】本発明のー部である落し蓋の斜視図
【図３】本発明の断面図
【符号の説明】
【０００８】（１）角形お玉杓子  （２）持ち手  （３）穴  （４）底  （５）ストッパー凸部  （６）落し蓋  （７）落し蓋柄  （８）小穴  （９）凹部
【図１】
2011147733.tif 000003
【図２】
2011147733.tif 000004
【図３】
2011147733.tif 000005
(57)【要約】      （修正有）【課題】散歩時に糞始末を立ったまま処理できるスコップ付きステッキを提供する。【解決手段】ステッキの先端部に可変型スコップ１６を設け、必要時に手持ち部分に設けた遠隔ノブ９で操作できる構造を有している。【選択図】図１
2011147740.tif 000002
【特許請求の範囲】
【請求項１】
先端に汚物採取用器具を内蔵する可変型ステッキ。
【発明の詳細な説明】
【技術分野】
【０００１】本発明は犬等の散歩時に使用する汚物採取用具付きステッキに関するものである。
【背景技術】
【０００２】従来高齢者などは犬等との散歩時に糞尿を始末する為にスコップや袋などをステッキとともに別に持ち歩いて、かがんで取るのが普通であった。
【発明の開示】
【発明が解決しようとする課題】
【０００３】散歩時の動物の糞を始末するにはスコップか何らかの道具を持参することが普通で、屈んで始末している、スコップなどが荷になるし又ステッキを持つ人には、かがむ事が苦痛である、
本発明は以上の問題点を解決する為のものである。
【課題を解決するための手段】
【０００４】ステッキの最先端部に耐摩耗性の素材を設け、その上部に出し入れが可能なスコップを設け、それをワイヤーにて連結させた、にぎり部の下のノブに連動させ操作できる構造を設けた、汚物採取用器具を内蔵する可変型ステッキ。
【発明の効果】
【０００５】ステッキの用途とスコップの用途を一体化することによって、持参物を少なくし又、散歩中に屈むことなく、立ったままで動物の糞始末をする事が可能になった。
【発明を実施するための最良の形態】
【０００６】以下、本発明の実施の形態を説明する、
ステッキのベース（３）に最先端部になる耐摩耗性の素材（４）を設け、その上部になるスコップ収納部本体（１）に出し入れ可能なスコップ（１６）を取付けピン（１３）にて取付け収納し、スコップ先端（１５）とＵ型ワイヤ（１１）を接続点（１２）にて繋ぎ、反対側をワイヤ（１０）と結合点（１４）で結んで、にぎり部（６）の下のノブ（９）の付いたスライドピン（２５）に連結させている、スコップ後部にはチャック（２３）付の袋（１８）を装着リング（１７）にて取付け、使用時には脱着が可能にしている、（１９）は採取物である、
ワイヤ（１０）はワイヤカバー（２０）を設けて、留め具（２４）にて固定されている、収納部本体（１）とステッキのパイプ部（５）は連結部（２）で繋がれていて、ノブ（９）をスライド溝（７）を滑らせ下げて、ノブ止め溝（８）に入れるとスライドピン（２５）が下がり、ワイヤ（１０）を通じてＵ型ワイヤ（１１）に押されてスコップ先端（１５）が地面の位置まで下がると同時に、袋（１８）の装着部が上になり装着後は採取可能になる、
ノブ（９）がノブ止め溝〈８〉にはまっている間はスコップ（１６）はそのままの状態でいるので作業には差し支えない、汚物採取後は袋（１８）を取り外しノブ（９）をノブ止め溝〈８〉から外せばスプリング止め（２２）で止まっているスプリング（２１）によって自動的にスライドピン（２５）を押し上げて使用前の状態に戻る、
ステッキだけで使用する時は［図２］及び［図４］の状態であり、スコップを使用する時は［図１］及び［図３］の状態である、
なお本発明に使用したスコップの機能部分は、特願２００９−２３６６５５汚物採取用具  を採用したものである。
【図面の簡単な説明】
【０００７】
【図１】  本発明のスコップ使用時の斜視図
【図２】  本発明のスコップ収納時の斜視図
【図３】  本発明のスコップ使用時の断面図
【図４】  本発明のスコップ収納時の断面図
【符号の説明】
【０００８】（１）スコップ収納部本体
（２）本体とパイプ連結部
（３）ステッキのベース
（４）耐摩耗性の素材
（５）ステッキのパイプ部
（６）にぎり部
（７）スライド溝
（８）ノブ止め溝
（９）ノブ
（１０）ワイヤ
（１１）Ｕ型ワイヤ
（１２）スコップとＵ型ワイヤの接続点
（１３）取付ピン
（１４）Ｕ型ワイヤとワイヤ結合点
（１５）スコップ先端
（１６）スコップ本体
（１７）袋装着リング
（１８）袋
（１９）採取物
（２０）ワイヤカバー
（２１）スプリング
（２２）スプリング止め
（２３）チャック
（２４）ワイヤカバー留め具
（２５）スライドピン
【図１】
2011147740.tif 000003
【図２】
2011147740.tif 000004
【図３】
2011147740.tif 000005
【図４】
2011147740.tif 000006
(57)【要約】【課題】つみきは滑るので子供は高く積み重ねるのは無理があった。本発明は、高く重ねても崩れにくく、幼児でも簡単に凸凹を組み合わせて遊ぶことができる凹凸つみきブロック具。【解決手段】つみきブロックの全ての面に凹面又は凸面を設け、凹凸面上にはプリント加工した絵柄や無地の面も混ぜ、凹と凸あるいは絵柄同士の自由な組み合わせで、つみきを楽しめることを特徴とする凹凸つみきブロック具。【選択図】図１
2011147734.tif 000002
【特許請求の範囲】
【請求項１】
つみきブロックの全ての面に凹面または凸面を設け、各面に文字や数字や動物などの多彩な絵柄をプリント加工し、又は無地の面も混ぜ、凹凸あるいは絵柄同士の自由な組み合せでつみきを楽しむことを特徴とする凹凸つみきのブロック具。
【発明の詳細な説明】
【技術分野】
【０００１】  本発明は、つみきの全面に凸面凹面を設け、積み重ねた積み木が崩れなくする、凹凸つみきブロック具に関するものである。
【背景技術】
【０００２】  従来、つみきは四角や三角などを積み重ねる。ブロック重ねなどもある。
【発明の概要】
【発明が解決しょうとする課題】
【０００３】  子供がつみきを高く積もうとすると、ズレたり崩れてなかなかうまくいかない。木製やプラスチックも滑りやすく、すぐに崩れて幼児はなかなか思うようにならない。
本発明は、以上の問題点を解決するためになされたものである。
【課題を解決するための手段】
【０００４】  つみきブロックの全ての面に凹面または凸面を設け、各面に文字や数字や動物などの多彩な絵柄をプリント加工し、又は無地の面も混ぜ、凹凸あるいは絵柄同士の自由な組合せで、高く積んでも簡単にズレたり崩れないので醍醐味が味わえる。
以上の構成よりなる凹凸つみきブロック具。
【発明の効果】
【０００５】  本発明はつみきの全ての面に凹面または凸面を設け、凹面凸面で、はめ込むので簡単に高く積むことができズレたり崩れない。絵柄はプリント加工するので文字や数字や動物物などの絵模様がはいり、また無地の面も混ぜて色々の面になる。
【発明を実施するための形態】
【０００６】    以下、本発明の実施の形態を説明する。
（イ）つみきブロック（１）の全ての面に凸面（２）または凹面（３）を設け、凸面凹面の各面に文字や数字や動物などの多彩な絵柄（４）をプリント加工し、又は無地の面も混ぜる
（ロ）凹凸あるいは絵柄（４）同士の自由な組み合わせが出来る。
（ハ）凹凸を組み合わせて、高く積んでも簡単にズレたり崩れないので醍醐味が味わえる。
本発明は以上のような構造である。
本発明を使用するときは、同じ絵柄（４）の凸面（２）と凹面（３）を組み合わせて積み重ねる。つみきブロック（１）は重ねてもズレたり崩れたりしないので幼児でも高く積むもとができる。また凸面（２）の中央部を広くとることで積み重ねができて遊びかたも多彩になる。凸凹の形は四角や丸などに限らない。絵柄（４）のプリントの絵は数字や動物や文字など子供達が喜んで分かる多種類の絵が入いる。
【図面の簡単な説明】
【０００７】
【図１】本発明の斜視図
【図２】本発明の別の形状を示す斜視図
【図３】本発明の正面図
【符号の説明】
【０００８】  （１）つみきブロック  （２）凸面  （３）凹面  （４）絵柄
【図１】
2011147734.tif 000003
【図２】
2011147734.tif 000004
【図３】
2011147734.tif 000005
(57)【要約】【課題】腰痛、靴下を履くのに時間の掛かる人など、腰を曲げずにこの用具を手に持ち用具の出張部分の折戸蝶番のおくまで靴下を履かせ止め具で靴下を挟み折戸蝶番を伸ばし用具を下に置き履きたい足を用具に差し込み足を前に進めると共に引き抜棒を後ろに引き上げ用具が抜け靴下に足が入り靴下を履き易くしたものである。【解決手段】足を置く板▲１▼の両側に固めの出っ張り部分に折戸蝶番▲２▼を設け両方の外側に靴下止具▲３▼を付け引き抜棒▲４▼設け腰に負担を掛けず靴下を用具に履かせて下に置きその中に足を差しこみ足を前に進め引抜棒▲４▼を後ろに引き上げる方法により靴下を履き易くした。【選択図】図３
2011147737.tif 000002
【特許請求の範囲】
【請求項１】
足を置く長めの板▲１▼の両側に固めの出っ張り部分先端に折戸蝶番▲２▼を取り付け  両側に靴下止具▲３▼を取り付け引抜棒▲４▼を設けた靴下着用の補助道具である。
【発明の詳細な説明】
【技術分野】
【０００１】この発明は、足を置く板の両側に固めの出っ張り部分先端に折戸蝶番を付けて両側に靴下止具を付けた用具を手に持ち用具の出っ張り部分の中央奥まで靴下を履かせ両側の止具にで靴下を挟み折戸蝶番を伸ばし用具を下に置きその中に足を入れ足を前に進めると共に引抜棒を後に引きあげることにより靴下を履き易くした。
【背景技術】
【０００２】腰が曲がらず、メタボなどで靴下を履くことが不自由な人などに便利である。
【発明の開示】
【発明が解決しようとする課題】
【０００３】この用具を手に持ち折戸蝶番を内側に折り中央の奥まで靴下を履かせ止具に靴下を挟み折戸蝶番を伸ばし足が入り易くして用具を下に置きその中に足を入れ足を前に出しながら用具の引抜棒を後ろ引き上げる事により靴下を履き易くしたものである。
腰痛、メタボなど靴下が履けない人や履くのに時間が掛かる人がふえている。
本発明は以上のような人を救うためのものである。
【課題を解決するための手段】
【０００４】足を置く板▲１▼の両側に固めの出っ張り部分に折戸蝶番▲２▼を設け両方の外側に靴下を止める止具▲３▼を付け用具を後ろに引き上げる引抜棒▲４▼を付けたものである。
本発明は以上の構成よりなる靴下着用の用具である。
【発明の効果】
【０００５】用具を手に持ち靴下を出っ張り部分の中央おくまで靴下を履かせて止具で靴下を挟み折戸蝶番を伸ばしその用具を下に置きその中に足を入れて足を前に進めると共に引抜棒を後ろに引き上げる事により靴下を履き易くするものである。
【発明を実施するための最良の形態】
【０００６】以下、本発明を実施するための最良の形態について説明する。
足を置く板（１）の両側に固めの出っ張り部分に折戸蝶番（２）を設け両方の外側に靴下を止める止具（３）付け用具を引き抜く為の引棒（４）設けこの用具に靴下を出張り部分中央まで履かせ止具で靴下を挟み折戸蝶番を伸ばし用具を下に置きその中に履きた足を入入れ足を前に進め引抜棒後ろに引き上げながら靴下を履き易くしたものである。
この用具を使用すると軽く腰を曲げるだけで靴下が履ける。
【図面の簡単な説明】
【０００７】
【図１】  本発明の斜視図である。
【図２】  本発明の断面図である。
【図３】  本発明の用具に靴下を履かせ折戸蝶番を伸ばし靴下止具に付けた斜視図である。
【符号の説明】
【０００８】  １  足を置く板
２  両側に固めの出っ張り部分折戸蝶番
３  ２の両方の外側の靴下を止めるための止具
４  用具を引き抜くための引抜棒
５  用具に履せた状態の靴下
【図１】
2011147737.tif 000003
【図２】
2011147737.tif 000004
【図３】
2011147737.tif 000005
(57)【要約】【課題】従来の物干し竿は、ハンガーに掛かった洗濯物が風の影響で片寄り密着し、物干し竿の反り曲がりが生じたり、乾きが悪くなる欠点を作る。【解決手段】物干し竿４に仕切り溝５を連続して羅列させるもので、その手段は耐久性の硬質ビニール樹脂等適宜素材を用いた長さ十糎程度の管を使用し、三粍程度の管の厚みを利用して溝を構築するものである。安定した溝幅を構築する方法は、物干し竿４の外径にしっくりと入る硬質ビニール樹脂管等の入口方向の底部に凸形２の中高を設け、寸法を長く形成し、出口方向の底部は凹形３の中くぼみを設け、寸法は短く形成する。さらに、固定するための雌螺子７を凸形２と凹形３の中央に設け、そのように成形加工した管を物干し竿４に順繰りと送り込んで羅列させ、下方向からムシ螺子１で固定することで全体的な直進性とグリップ性を合わせもつことができる。【選択図】図１
2011147748.tif 000002
【特許請求の範囲】
【請求項１】
物干し竿に仕切り溝を連続して羅列させるもので、その手段は耐久性の硬質ビニール樹脂等適宜素材を用いた長さ十糎程度の管を使用し、三粍程度の管の厚みを利用して溝を構築するものである。安定した溝幅を構築する方法は、物干し竿の外径にしっくりと入る硬質ビニール樹脂管等の入口方向の底部に凸形の中高を設け、寸法を長く形成し、出口方向の底部は凹形の中くぼみを設け、寸法は短く形成する。また、固定するための雌螺子を凸形と凹形の中央に設け、そのように成形加工した管を物干し竿に順繰りと送り込んで羅列させ、下方向からムシ螺子で固定することで全体的な直進性とグリップ性を合わせもつことを特徴とする物干し竿用仕切り溝形成パーツ。
【発明の詳細な説明】
【技術分野】
【０００１】  本発明は、風による影響でハンガーに掛かった洗濯物の片寄り密着で生じる乾きの悪さを良くし、また、物干し竿の反り曲がりを和らげる物干し竿用仕切り溝形成パーツに関するものである。
【背景技術】
【０００２】  特許文献１及び特許文献２には、物干し竿に溝を設ける用途において、材質は弾性の合成樹脂を使用し、はめ込み式で着脱可能にしたものである。この欠点は出願された考案の材質の厚みを厚くすると物干し竿の長いスパンにはめ入れることが硬くて容易でなく、厚みを薄くすると構造の耐久性が落ち、はめ入れた時に内側のＲ寸法が物干し竿の直径寸法よりも大きく広がり、グリップできない。また、特許文献１、特許文献２の両者の考案もはめ入れた時に上下の重心が片寄り、溝の部分が上下反転してしまう問題を生じる。【０００３】  本発明の物干し竿用仕切り溝形成パーツは、上記文献に比べて材質は硬質のビニール樹脂等適宜素材を使用し、物干し竿に順繰りと送り込んで羅列させ固定するものである。さらに、下方向から貫通させないムシ螺子を使うことで、物干し竿の外径と本発明の仕切り溝形成パーツの内径との接点に空間を設けることができ、その結果上下の重心を保ち安定した座りの良い位置を構築する。【０００４】  また、本発明は物干し竿自体を加工するものではなく、物干し竿そのものの強度を損なわない。
【先行技術文献】
【特許文献】
【０００５】
【特許文献１】  実用新案登録番号  第３０４１６５５号公報
【特許文献２】  特開２００４−１３６０５３号公報
【発明の概要】
【発明が解決しようとする課題】
【０００６】  従来の物干し竿は、ハンガーに掛かった洗濯物が風の影響で片寄り密着し、物干し竿の反り曲がりが生じたり、乾きが悪くなる欠点を作る。従って、物干し竿に連続した溝を適度な間隔で設けることにより、その溝に掛かるハンガーのフックの移動を強制的に抑止することができ、前述の欠点を解決しようとするものである。
【課題を解決するための手段】
【０００７】  本発明は、物干し竿に仕切り溝を連続して羅列させ、ハンガーに掛かった洗濯物を適度な間隔で仕切ることで乾きの悪さを良くし、また、物干し竿の反り曲がりを和らげることを最も主要な特徴とする。
【発明の効果】
【０００８】  本発明の物干し竿用仕切り溝形成パーツは、風による影響で、ハンガーに掛かった洗濯物が物干し竿の中央部や端部等に片寄り密着するのを抑制でき、重量を万遍なく分散させるため、竿の反り曲がりを和らげる。また、強制的に洗濯物を適度な間隔に仕切ることができるので、通風を促し早い乾きも可能になるという利点がある。
【図面の簡単な説明】
【０００９】
【図１】図１は本発明の物干し竿用仕切り溝形成パーツが、物干し竿に連続して羅列した実施方法を示す正面図である。縮尺五分の一
【図２】図２は本発明の物干し竿用仕切り溝形成パーツの実施方法を示す平面図、立面図、側面図である。縮尺二分の一
【図３】図３は図２のＡ−Ａ平断面図である。縮尺二分の一
【発明を実施するための形態】
【実施例】
【００１０】  添付図面に従って実施方法を説明する。本発明の物干し竿用仕切り溝形成パーツ６の材質は、風雨や直射日光に耐久性の硬質ビニール樹脂等適宜素材を用いた長さ十糎程度の管を使用し、管の厚み三粍を利用して溝を構築するものである。【００１１】  安定した溝幅を構築する方法は、図１に示す物干し竿４の外径にしっくりと入る仕切り溝形成パーツ６の図３に示す入口方向の底部に凸形２の中高を設け寸法を長く形成し、出口方向の底部は凹形３の中くぼみを設け寸法は短く形成する。【００１２】  また、図３に示す固定するための雌螺子７を凸形２と凹形３の中央に設ける。【００１３】  そのように成形加工した管を図１に示す物干し竿４に順繰りと送り込んで羅列させ、下方向からムシ螺子１で固定することで、物干し竿を回転させない座りの良い位置を保つ。さらに、全体的な直進性とグリップ性を合わせもち、仕切り溝５を形成する。【００１４】  ハンガーの移動を完全に抑止するには、物理的にハンガーのフックの内径寸法の値を求める必要がある。【００１５】  その求め方は、仕切り溝形成パーツ６の外径寸法マイナス四粍である。
【産業上の利用可能性】
【００１６】  本発明の物干し竿用仕切り溝形成パーツは、構造が自然法則に基ずく必要最小限度のみで形成するので製造コストを少なくし、また、新規はゆうまでもなくニーズのある従来の物干し竿にも簡単に取り付けすることができる。
【符号の説明】
【００１７】    １  ムシ螺子
２  凸形
３  凹形
４  物干し竿
５  仕切り溝
６  仕切り溝形成パーツ
７  雌螺子
【図１】
2011147748.tif 000003
【図２】
2011147748.tif 000004
【図３】
2011147748.tif 000005
(57)【要約】【課題】不特定多数の人が使用する公衆洋式トイレで便座や便座蓋を直接手で触るのに衛生面で抵抗感があり、又既設のトイレに簡単に取付できる事、本発明は以上の問題点を解決するため便座ノータッチ棒を提供する。【解決手段】便座の裏面に便座ノータッチ棒を貼り付け、その便座の端部から棒が横に飛び出ている。便座蓋も便座蓋ノータッチ棒を裏面に貼り付け棒が横に伸びている。便座ノータッチ棒の一部分に突起物が延びていて、便座ノータッチ棒を持ち上げると便座蓋ノータッチ棒も一緒に抱え上げるようになっている。用を済ました後は男性の大の場合は便座蓋ノータッチ棒を、小の場合は２本のノータッチ棒の先端部を持ってもとの位置に戻し蓋をする。以上の構成より成る便座ノータッチ棒。【選択図】図２
2011147745.tif 000002
【特許請求の範囲】
【請求項１】
便座と便座蓋に各々横棒を取り付け、便座棒には突起部を設け、それが便座蓋棒に重なる位置とした、便座ノータッチ棒。
【発明の詳細な説明】
【技術分野】
【０００１】  本発明は洋式トイレの便座及び便座蓋の開閉のつまみに関する物である。
【背景技術】
【０００２】  従来、洋式トイレの便座や便座蓋の開閉は手で行っている、最近は人感センサーで自動的に開閉する物もある。【０００３】
【特許文献１】  特開２０００−７９０７６広報
【発明の概要】
【発明が解決しようとする課題】
【０００４】  不特定多数の人が使用する公衆洋式トイレで便座や便座蓋を直接手で触るのに衛生面で抵抗があり、又センサー付きトイレは高価であり、故障も起こりやすく一般的でない。最近は暖房便座が普及され省エネの観点から便座蓋を閉めるようにと啓蒙されている。本発明は以上の問題点を解決する為になされたものである。
【問題を解決するための手段】
【０００５】  便座の裏面に便座ノータッチ棒を貼り付け、その便座の端部から棒が横に飛び出ている、便座蓋も便座蓋ノータッチ棒を裏面に貼り付け棒が横に伸びている。便座ノータッチ棒の一部分に突起物が延びていて、便座蓋ノータッチ棒を抱えるようになっている。以上の構成よりなる便座ノータッチ棒。
【発明の効果】
【０００６】公衆トイレの場合でも直接便座や便座蓋を触はらないで開閉出来る、男性の場合大便、小便関係なく１回の開閉操作で使用出来、既設のトイレにノータッチ棒２本を貼り付けるだけですぐ使用できる。
【発明を実施するための最良の形態】
【図面の簡単な説明】
【０００７】
【図１】本発明の斜視図（便座蓋）
【図２】本発明の斜視図（便座）
【発明を実施するための形態】
【０００８】  以下、本発明の実施の形態を説明する。
（イ）トイレの便座（１）の裏面後方側に便座ノータッチ棒（２）を貼り付ける、ノータッチ棒の接着部分（３）は幅広で薄い形状で、便座部から横に飛び出ている箇所（４）は長方体である。
（ロ）その長方体の先端より少し便座側に長方体の突起部（５）が設けられている。
（ハ）便座蓋（６）の裏面後方側に便座蓋ノータッチ棒（７）を貼り付ける、形状は接着部（８）幅広で薄く、便座蓋から横に飛び出ている箇所（９）は長方体である。
（二）２本のノータッチ棒は近い距離にあり、便座ノータッチ棒（２）を上に持ち上げると便座蓋（６）も一緒に持ち上がる。
本発明は以上のような構造である。
本発明を使用する時、男性が大をするには便座蓋ノータッチ棒（７）先端部を持って便器後方に倒し、用を済ましたら便座蓋ノータッチ棒（７）を持って元に戻し蓋をする。小の時は便座ノータッチ棒（２）の先端部を持って便器後方に倒す、その際便座ノータッチ棒（２）の突起部（５）が便座蓋ノータッチ棒（７）も一緒に抱えて後方に納める。用を済ましたら２本のノータッチ棒（２）、（７）の先端を持って元に戻し蓋をする。
【符号の説明】
【０００９】  （１）便座、（２）便座ノータッチ棒、（３）便座ノータッチ棒接着部、（４）便座部から横に飛び出している箇所、（５）突起部、（６）便座蓋、（７）便座蓋ノータッチ棒、（８）便座蓋ノータッチ棒接着部  （９）便座蓋から横に飛び出している箇所
【図１】
2011147745.tif 000003
【図２】
2011147745.tif 000004
(57)【要約】【課題】  口紅は、遠くへ出かけるときは、バッグなどに入れて持っているが近所へ出かけた時など、忘れる事が多く、そんな時ほど必要を目的とする。【解決手段】  口紅容器本体の底部分へ小穴を開け、ネジを差し込み、金具を付け、ネックレス（クサリ）を通し、口紅容器フタ底部分へ鏡を設けたことを特徴とする口紅つきネックレス。【選択図】図１
2011147741.tif 000002
【特許請求の範囲】
【請求項１】
口紅容器本体の底部分へ小穴を開け、ネジを差し込み、金具を付け、ネックレス（クサリ）を通し、口紅容器フタ底部分へ鏡を設けたことを特徴とする口紅つきネックレス。
【発明の詳細な説明】
【技術分野】
【０００１】  本発明は、コンパクトや手鏡などの道具を用意することなく口元を写し、衆目を集めやすい場所でも目立ち過ぎず、いつでも、どこでも手早く、的確に口紅を塗ることができるように工夫した口紅つきペンダントに関するものである。
【背景技術】
【０００２】  従来、口紅を使うときは、化粧バッグ、ポーチなどから口紅を出していた。
従来、口紅容器は、口紅を使って、口紅容器の本体とキャップを離し、本体から口紅を繰り出し、コンパクトや手鏡などを使って、口元を写し、口紅を塗っていた。
また、コンパクトや手鏡などを持っていないとき、顔や口元を写せる場所へ移動して口紅を塗っていた。
本発明は、ネックレスとして、首にさげていることで、使いたいときにすぐに使える口紅つきペンダントである。
【発明の概要】
【発明が解決しようとする課題】
【０００３】  口紅は、遠くへ出かけるときは、バッグに入れて持っているが、近所へ出かけたときほど忘れることが多くて、そんなときほど必要であった。
口紅を塗るとき、口紅容器の他に手鏡などを必要としていた。
口紅を塗る時、手近にコンパクトや手鏡などの道具がないときは、顔や口元を写せる場所へ移動しなければならなかった。
たとえば、飲食店内で口紅を塗るとき、衆目を集め目立つことが多く恥ずかしかった。
本発明は、以上の問題点を解決するために発明したものである。
【課題を解決するための手段】
【０００４】  口紅（６）を出し入れできる口紅容器本体（５）と、この口紅容器本体（５）に、着脱可能に備えられた口紅容器キャップ（７）とからなる口紅容器において、口紅容器本体（５）の底になる部分に、小穴（４）を設ける。
小穴（４）にネジ（２）を差し込み、そのネジへ金具（３）をつけネックレス（クサリ）（１）を設ける。
口紅容器キャップ（７）の底へ鏡（樹脂）（８）を設ける。
以上の構成で、口紅つきペンダントである。
【発明の効果】
【０００５】  女性は口紅をつけることで、気持ちがとても明るくなれる、時として口紅をつけることを忘れて外出してしまうこともあり、他の人と顔を合わせることもどうかと思うとき、そんなときに思いついたのが口紅つきペンダントにして、身近にあればいつでもすぐに使えるように鏡を設けてある。
年齢をかさねてより女性らしく、可愛らしく口紅をつけることを忘れず、明るく美しくいる。
【図面の簡単な説明】
【０００６】
【図１】  本発明の分解斜視図である。
【図２】  本発明の斜視図である。
【発明を実施するための形態】
【０００７】  以下、本発明の実施の形態を説明する。
口紅（６）を出し入れできる口紅容器本体（５）と、この口紅容器本体（５）に、着脱可能に備えられた口紅容器キャップ（７）とからなる口紅容器において、口紅容器本体（５）の底になる部分に、小穴（４）を設ける。
小穴（４）にネジ（２）を差し込み、そのネジへ金具（３）をつけネックレス（クサリ）（１）を設ける。
口紅容器キャップ（７）の底へ鏡（樹脂）（８）を設ける。
本発明は以上のような構造である。
本発明を使うことによって、口紅を塗りたいとき、コンパクトや手鏡などを別に用意する必要がなく、いつでも、どこでも手早く的確に、口紅を塗ることができる。
また、コンパクトや手鏡などを持っていないときでも、顔や口元を写せる場所へ移動する必要がなく、時間と労力を省くことができる。
さらに、飲食店内での簡単な化粧直しも、目立ち過ぎず、迅速に的確に口紅を塗ることができる。
【符号の説明】
【０００８】１  ネックレス（クサリ）
２  ネジ
３  金具
４  小穴
５  口紅容器本体
６  口紅
７  口紅容器キャップ
８  鏡（樹脂）
【図１】
2011147741.tif 000003
【図２】
2011147741.tif 000004
(57)【要約】      （修正有）【課題】冷たい飲み物を容れた容器に巻きつけて水滴のしたたれを防止し、着ている服への落下付着を防ぐとともに、氷が解けて飲み物の薄まる時間や飲み物の冷たさの持続時間を延長させることができる巻きつけコースターを提供する。【解決手段】吸水性と断熱性のある吸水断熱帯１に、接合帯２を上下に設けた。【選択図】図１
2011147742.tif 000002
【特許請求の範囲】
【請求項１】
吸水性と断熱性のある吸水断熱帯（１）に、接合帯（２）を上下に設けた、巻きつけコースター。
【発明の詳細な説明】
【技術分野】
【０００１】  この発明は、冷たい飲み物を容れたジョッキやグラスに巻きつけて、水滴のしたたれを防止したり、氷が解けて飲み物が薄まる時間や飲み物の冷たさの持続時間を延長させることができる巻きつけコースターに関するものである。
【背景技術】
【０００２】  従来、コースターは冷たい飲み物を容れたジョッキやグラスなどの下に敷き、余分な水滴を吸い取って、ジョッキやグラスなどを持ち上げた時、水滴がしたたれるのを防ぐことにあった。
【発明が解決しようとする課題】
【０００３】  これは次のような欠点があった。
従来、コースターは、冷たい飲み物を容れた容器（ジョッキやグラスなど）の表面からしたたれ落ちた水滴を受けるために、その下に敷いて使用するものである。
コースターには、重くて吸水性のないガラス製・金属製のものから軽くて吸水性のある紙製・布製のものまである。
しかし、このような容器の下に敷いて使用するコースターは、吸水性のないコースターでは水滴が溜まり、容器を持ち上げた時に水滴がしたたれ落ちて、着ている服を汚してしまうことになる。吸水性のあるコースターでも吸収しきれなくなると容器を持ち上げた時に水滴がしたたれることになる。また、軽いコースターは、容器を持ち上げた時に容器に貼りついて一緒に持ち上がってしまうことがよくある。
本発明は、以上のような欠点を無くすためになされたものである。
【課題を解決するための手段】
【０００４】  容器の表面の下部から１／３乃至４／５までを覆うように、吸水断熱帯（紙、布、綿、他）を巻きつける。吸水断熱帯（巻きつけコースター本体）を容器に固定させるため接合帯（先端に接着剤または突起をつける）を上下に設ける。
容器には、ジョッキのように上下の太さが同じものや、グラスのように上が太く下が細いものがあり、容器の形状に合わせて吸水断熱帯の形状を変える必要がある。
本発明は、以上の構成よりなる巻きつけコースターである。
【発明の効果】
【０００５】  冷たい飲み物を容れた容器の表面に水滴が付くのは、容器の表面に接触した空気が冷やされ、その水分が水滴となって容器の表面に付着するためである。容器の表面と空気との接触面を少なくすればするほど、あるいは断熱性のある物を間に介在させれば水滴の発生は防げることになる。
容器の表面の下部から１／３乃至４／５までを巻きつけコースターで覆えば、水滴の発生を抑えられ、発生した場合にも素早く吸収することができる。また、空気との接触を遮断することにより保冷効果が生じ氷が解けるのが遅くなり、飲み物の薄まる時間や冷たさの持続する時間を延長させることができる。
【発明を実施するための最良の形態】
【０００６】  以下、本発明を実施するための最良の形態について説明する。
吸水性と断熱性のある吸水断熱帯（１）に、先端に接着剤あるいは突起をつけた接合帯（２）を上下に設けたもので、これを容器の下部に巻きつけて使用するものである。
【図面の簡単な説明】
【０００７】
【図１】本発明の斜視図である。
【図２】本発明の開いた正面図（上下が同じ太さの場合）である。
【図３】本発明の開いた正面図（上が太く下が細い場合）である。
【符号の説明】
【０００８】１    吸水断熱帯
２    接合帯
【図１】
2011147742.tif 000003
【図２】
2011147742.tif 000004
【図３】
2011147742.tif 000005